(57)【要約】【課題】  使用者の利益と企業の利益とを同時に確保し、記録される番組情報の中から広告情報の削除を行ってもスポンサーが効果的に広告を行うことができ、使用者が快適に放送番組を視聴できる技術を提供する。【解決手段】  放送局１１と、録画再生装置１２と、サーバ１８と、プリンタ１４と、を備えた放送番組記録システムであって、録画再生装置１２からプリンタ１４に対して広告印刷データの印刷を指示する印刷指示手段と、印刷指示手段によるプリンタ１４の広告印刷データの印刷が終了したことを確認する確認手段と、確認手段によって印刷終了を確認した場合に印刷した広告印刷データに対応する録画再生装置１２に記録された広告情報を削除する削除手段と、を有する。【選択図】  図１
2005348227.tif 000002
【特許請求の範囲】
【請求項１】
番組情報及び番組を提供するスポンサーの広告情報を配信する放送局と、
前記番組情報及び前記広告情報を記録する記録装置と、
前記記録装置に記録された前記広告情報に対応する同一のスポンサーの広告についての広告印刷データをネットワークを介して配信するサーバと、
ネットワークを介して前記広告印刷データを前記サーバから受信し印刷する印刷装置と、
を備えた放送番組記録システムであって、
前記記録装置から前記印刷装置に対して前記広告印刷データの印刷を指示する印刷指示手段と、
前記印刷指示手段による前記印刷装置の前記広告印刷データの印刷が終了したことを確認する確認手段と、
前記確認手段によって印刷終了を確認した場合に印刷した前記広告印刷データに対応する前記記録装置に記録された前記広告情報を削除する削除手段と、
を有することを特徴とする放送番組記録システム。
【請求項２】
前記印刷装置は、前記サーバから前記広告印刷データを受信するための接続情報を前記記録装置から受信することを特徴とする請求項１記載の放送番組記録システム。
【請求項３】
前記広告情報を削除するための情報は、前記広告印刷データの印刷終了を前記確認手段が確認後に、前記サーバから前記印刷装置へ配信されることを特徴とする請求項１記載の放送番組記録システム。
【請求項４】
前記広告情報を削除するための情報は、その情報を印刷しないと判別できない情報であることを特徴とする請求項３記載の放送番組記録システム。
【請求項５】
前記削除手段は、前記広告情報を削除するための情報を使用者に入力させ、入力が正しいと確認された場合にはじめて前記広告情報を削除することを特徴とする請求項３又は４記載の放送番組記録システム。
【請求項６】
番組情報及び番組を提供する複数のスポンサーの複数の広告情報から編成された番組放送を記録する記録手段と、
複数の広告情報から個別の広告情報を削除する削除手段と、
記録した当該番組放送中の全ての広告情報が削除されたことを判別する判別手段と、
前記判別手段により全ての広告情報が削除されたことを判別した場合にその旨を使用者に通知する通知手段と、
を備えたことを特徴とする記録装置。
【請求項７】
前記記録手段とは別の媒体に情報を記録する第２の記録手段を備え、
前記判別手段により前記記録手段に記録された前記番組放送の全ての広告情報が削除されたことを判別した場合、当該番組放送を前記第２の記録手段によってバックアップすることを特徴とする請求項６記載の記録装置。
【発明の詳細な説明】
【技術分野】
【０００１】
本発明は、番組情報及び番組情報の間に挿入された番組を提供するスポンサーの広告情報を記録し、前記広告情報に対応する同一のスポンサーの広告についての広告印刷データをネットワークを介して配信し、前記広告印刷データを印刷する放送番組記録システム及び記録装置に関するものである。
【背景技術】
【０００２】
従来の放送は、アナログ映像やアナログ音声からなるアナログ放送を放送していた。そのアナログ放送を録画再生する記録装置は、番組中に存在するコマーシャル・メッセージ（以下ＣＭと呼ぶ）をＣＭ中は音声がモノラルからステレオに切り替わることをスイッチとして検出して、ＣＭのカットを行っていた。
【０００３】
一方、２００３年末から地上波デジタル放送が開始され、放送形態がアナログからデジタルに本格的に移り始めている。デジタル放送は映像や音声信号がデジタル化されるのみならず、番組に関連する情報（メタデータ）の提供や、データ放送を提供するなど、アナログ放送にはないサービスが考えられている。このメタデータの中に、ＣＭが存在するタイムテーブルを記載すれば簡単かつ確実にＣＭをカットすることできる。
【０００４】
しかしながら、番組のスポンサーであるところの企業は、自社の商品や企業イメージを広告するために番組制作の費用を提供しているのであって、ＣＭがカットされると広告の効果が希薄になってしまう。また、放送局側ではスポンサーとの関係から、技術的にカットは簡単であっても、ＣＭカットできないような形態で放送編成される事が考えられる。
【０００５】
例えば、特許文献１に開示された提案では、デジタルテレビ受像機は、ＣＭデータの再生履歴が規定再生回数を満たしている場合に、ＣＭデータを削除可能と判定するとある。この場合、ＣＭが規定回数再生されたことを条件に削除するため番組のスポンサーであるところの企業の利益は確保される。
【特許文献１】特開２００３−３０９８０９号公報
【発明の開示】
【発明が解決しようとする課題】
【０００６】
しかしながら、ＣＭの効果を期待するために、ある程度の再生回数を確保しなければならない。使用者は規定回数再生をしない限りはＣＭを削除できないので、所定回数が多い程、ＣＭをカットできる頻度が減少し、使用者にとって必ずしも快適ではなくなる。逆に使用者に快適にするためには、規定回数を少なくせざるを得ず、この場合、ＣＭの効果が希薄となり、企業の利益が確保できなくなるのである。
【０００７】
このように、使用者に放送番組をＣＭカットして記録させることで得られる使用者の利益と、ＣＭによって効果的な広告を行うことで確保できる企業の利益とが相反している。
【０００８】
そこで、本発明は、使用者の利益と企業の利益とを同時に確保し、記録される番組情報の中から広告情報の削除を行ってもスポンサーが効果的に広告を行うことができ、使用者が快適に放送番組を視聴できる技術を提供することを目的とする。
【課題を解決するための手段】
【０００９】
上記目的を達成するために本発明にあっては、以下の構成を採用する。すなわち、
番組情報及び番組を提供するスポンサーの広告情報を配信する放送局と、
前記番組情報及び前記広告情報を記録する記録装置と、
前記記録装置に記録された前記広告情報に対応する同一のスポンサーの広告についての広告印刷データをネットワークを介して配信するサーバと、
ネットワークを介して前記広告印刷データを前記サーバから受信し印刷する印刷装置と、
を備えた放送番組記録システムであって、
前記記録装置から前記印刷装置に対して前記広告印刷データの印刷を指示する印刷指示手段と、
前記印刷指示手段による前記印刷装置の前記広告印刷データの印刷が終了したことを確認する確認手段と、
前記確認手段によって印刷終了を確認した場合に印刷した前記広告印刷データに対応する前記記録装置に記録された前記広告情報を削除する削除手段と、
を有することを特徴とする放送番組記録システムである。
【００１０】
また、他の本発明としては、
番組情報及び番組を提供する複数のスポンサーの複数の広告情報から編成された番組放送を記録する記録手段と、
複数の広告情報から個別の広告情報を削除する削除手段と、
記録した当該番組放送中の全ての広告情報が削除されたことを判別する判別手段と、
前記判別手段により全ての広告情報が削除されたことを判別した場合にその旨を使用者に通知する通知手段と、
を備えたことを特徴とする記録装置である。
【発明の効果】
【００１１】
本発明によると、広告情報は対応する広告が印刷されることで記録した番組情報の中から削除できる。すなわち、広告は印刷によって紙媒体へ変えて現すことができ、記録される番組情報の中から広告情報の削除を行ってもスポンサーが効果的に広告を行うことができ、かつ、記録した番組情報から広告情報を削除することで、広告情報に邪魔をされず、使用者が快適に記録した番組情報を視聴できる。
【発明を実施するための最良の形態】
【００１２】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００１３】
図１は、本実施形態に係る放送番組記録システムの構成を表した図である。１１は放送局であって、地上波、衛星、ケーブルなどの放送媒体を利用し、番組編成にしたがって番組情報として番組映像や番組音声、または番組に関連するメタデータを放送・配信するとともに、番組情報に挿入される、番組のスポンサーである企業の広告情報としてＣＭ映像やＣＭ音声、またはＣＭに関連するメタデータを放送・配信する。
【００１４】
１２は記録装置としての録画再生装置であって、放送局１１が放送する番組やＣＭを録画し、デジタルテレビ（以下ＤＴＶとする）１３にその録画した番組やＣＭを再生する。また、番組やＣＭに関連するメタデータも合わせて記録し、その情報をＤＴＶ１３など他の機器に配信可能とする。
【００１５】
１４はプリンタであって、録画再生装置１２や他の機器（図１では省略している）にネットワーク１５を介して接続されている。
【００１６】
１６はローカルなネットワークからグローバルなネットワークであるところのインターネット１７に接続可能にするためのデータ変換等をおこなうゲートウェイである。
【００１７】
１８はＣＭ削除を認証するためのＣＭを提供する企業が用意する装置であって、さらには、ＣＭを削除するために必要な印刷データ（広告印刷データ）を配信するＣＭ削除認証装置および印刷データサーバである。本装置はインターネット１７を介して、プリンタ１４などの装置が接続可能である。
【００１８】
図２は、録画再生装置１２の内部の構成を示したブロック図である。２１は放送受信装置であって、放送局１１が地上波、衛星、ケーブルなどの媒体を利用し、配信する番組を受信する。
【００１９】
２２は記録手段としてのハードディスクであって、放送受信装置２１から出力される番組映像や番組音声、または番組に関連するメタデータ、ＣＭ映像やＣＭ音声、またはＣＭに関連するメタデータ等を制御装置２６を介して記録する。また、記録されている映像や音声をＤＴＶ１３などで再生するために制御装置２６を介して読み出され、ＤＴＶ再生装置２４にてＤＴＶ１３に再生可能にデータ変換される。
【００２０】
２３はハードディスク２２に記録された映像、音声やメタデータをバックアップする第２の記録手段としてのＤＶＤドライブである。
【００２１】
２５はネットワーク１５上に接続されたプリンタ１４などの機器と通信するためのネットワーク通信装置である。
【００２２】
２７は録画や再生、またはプリンタ１４に対して印刷するなど、使用者の指示により実行するためのリモコン受信装置である。
【００２３】
２６はＣＰＵやプログラム、作業するためのワークＲＡＭなどを含む（図２では省略している）制御装置であって、本録画再生装置１２の動作を集中的に行っているものとする。
【００２４】
図３は、放送番組記録システムの放送形態ならびにハードディスク２２に記録されたデータの記録イメージを１つの番組例（番組１）で表した図である。番組１の放送編成は、番組１の映像音声信号である番組１−１、１−２、１−３からなり、それぞれの映像音声配信後にＣＭ１、ＣＭ２、ＣＭ３が放送される。ＣＭ１、ＣＭ２、ＣＭ３はそれぞれ映像音声信号とともにＣＭに関連する情報であるところのメタデータが配信される。番組編成は図のように分かれているが、ＣＭ１、ＣＭ２、ＣＭ３が挿入されているタイムテーブルが暗号化されているものとする。したがって、録画再生装置１２は暗号化を解除しない限りどこにＣＭが挿入されているか判断できないためＣＭを削除することができないのである。
【００２５】
図４は、図３のＣＭに関連する情報であるところのメタデータのフォーマットを表した図である。このメタデータには、たとえば、提供会社、放映時間、ステレオやモノラルなどの音声情報、出演者などＣＭの内容に関連する情報が添付される。またＣＭ印刷するための、図１のＣＭ削除認証装置および印刷データサーバ１８へ接続するためのアドレスを示すＵＲＬや認証に必要なためのデータが添付されている。
【００２６】
図５は、プリンタ１４の内部構成を表したブロック図である。４１は録画再生装置１２やゲートウェイ１６を介してＣＭ削除認証装置および印刷データサーバ１８と接続しデータの送受信を行うためのネットワーク通信装置である。
【００２７】
４２はＣＰＵやプログラム、作業するためのワークＲＡＭなどを含む（図５では省略している）制御装置であって、プリンタ１４の動作を集中的に行っているものとする。
【００２８】
４３はファイルをレイアウトし印刷装置４４が印刷可能なデータに変換するための印刷レイアウト装置である。
【００２９】
プリンタ１４では、制御装置４２の指示に従い、ネットワーク通信装置４１から受信した印刷データを印刷レイアウト装置４３を介して印刷装置４４で印刷するのである。
【００３０】
図６は、録画再生装置１２内部の制御装置２６が実施するＣＭ印刷処理の流れを表した図である。使用者がリモコンによりＣＭ印刷を指示するとリモコン受信装置２７を介して制御装置２６が本処理を起動するものとする。
【００３１】
本処理が起動されるとＳ６０１にてネットワーク１５を介してプリンタ１４にＣＭ印刷を依頼する処理を行う。そのために図４に図示したフォーマット中のＣＭ削除認証装置および印刷データサーバ１８のＵＲＬならびに認証に必要な情報をプリンタ１４に送信する。
【００３２】
次にＳ６０２にて印刷終了待ちの処理に移る。印刷終了をプリンタ１４から受信した場合、Ｓ６０３へすすみ、印刷が終了していない場合、Ｓ６０７へすすむ。
【００３３】
Ｓ６０７はタイマアウトのための時間計測を行う処理であって、Ｓ６０８でタイマアウトの時間が経過されている場合は、Ｓ６０９へすすみ、タイマアウトされたことを使用者にＤＴＶ１３に表示したりするなど、タイマアウト通知処理を行って本処理を終了する。また、タイマアウトの時間が経過されていない場合にはプリンタ１４からのエラー情報があるか否かを検出する処理をＳ６１０にて行い、エラーである場合には、Ｓ６１１へすすみ、タイマアウト通知処理同様に、使用者にＤＴＶ１３に表示したりするなど、エラー通知処理を行って本処理を終了する。エラーでない場合はＳ６０２の印刷終了待ち処理に戻る。
【００３４】
Ｓ６０２にて、プリンタ１４から印刷終了を受信した場合、Ｓ６０３でＣＭを削除するために必要なタイムテーブルの解除コードをプリンタ１４から受信する。
【００３５】
Ｓ６０４はハードディスク２２上に記録されている番組の内部に挿入されたＣＭとＣＭに関連するメタデータを削除する処理を行う。
【００３６】
Ｓ６０５は、更新された番組のメタデータから全てのＣＭが削除されたか否かを判別する処理を行い、全てのＣＭが削除されていない場合は、本処理を終了する。
【００３７】
一方、全てのＣＭが削除された場合には、Ｓ６０６にてＤＴＶ１３にその旨を通知する。また、全てのＣＭが削除されたので簡単にＤＶＤにバックアップできるためのユーザインターフェイスのための表示をする。図７はＤＴＶ１３に表示されるＤＶＤバックアップを促す図を示す。リモコンのカーソルキーなどを利用してＤＶＤ記録が指示された場合には前記プレイリストに対応した映像や音声をＤＶＤドライブ２３でＤＶＤに記録する。
【００３８】
図８は、プリンタ１４の内部ブロックであるところの制御装置４２で実行され、録画再生装置１２からの依頼におけるＣＭ印刷の処理の流れを示したフローチャートである。ＣＭ印刷が依頼されると制御装置４２は、Ｓ８０１で録画再生装置１２からＣＭ削除認証装置および印刷データサーバ１８のＵＲＬならびに認証に必要な情報が記載されたメタデー
タ（接続情報）を受信する。
【００３９】
Ｓ８０１に引き続くＳ８０２では記載されているＵＲＬに対して接続の要求を行う。この際、メタデータに記載されている認証情報に従って、印刷データを受信するための認証処理を実施するものとする。
【００４０】
Ｓ８０２に引き続くＳ８０３は、ＣＭ削除認証装置および印刷データサーバ１８からの応答待ちの処理であって、所定時間応答がない場合にはＳ８１４へすすみ、インターネット接続にエラーがあった旨を録画再生装置１２へ通知する処理を行う。Ｓ８０３で応答があった場合には、Ｓ８０４へ進み印刷データの受信要求を行う。
【００４１】
Ｓ８０４に引き続くＳ８０５は、ＣＭ削除認証装置および印刷データサーバ１８からの応答待ちの処理であって、所定時間応答がない場合にはＳ８１４へすすみ、インターネット接続にエラーがあった旨を録画再生装置１２へ通知する処理を行い、本ＣＭ印刷処理を終了する。一方、Ｓ８０５で応答があった場合には、Ｓ８０６にて印刷データの受信を行う処理を実施する。
【００４２】
Ｓ８０６に引き続くＳ８０７は、受信した印刷データを元に印刷レイアウトを施して、印刷装置４４で印刷を指示する処理を実施する。
【００４３】
Ｓ８０７での処理実施後、Ｓ８０８は印刷装置４４で正常に印刷が行われたか否かを判別する処理であって、正常でない場合、Ｓ８１３で印刷エラーである旨を録画再生装置１２へ通知する処理を行い、本ＣＭ印刷処理を終了する。一方、Ｓ８０８で正常に印刷が終了した場合は、Ｓ８０９でＣＭ削除認証装置および印刷データサーバ１８に対して記録した番組中のＣＭを削除するためのタイムテーブルの解除コードを要求する。
【００４４】
タイムテーブルの解除コード要求後、Ｓ８１０でＣＭ削除認証装置および印刷データサーバ１８から応答がない場合、Ｓ８１４へすすみインターネットエラーをクライアントに送信する。一方、Ｓ８１０でＣＭ削除認証装置および印刷データサーバ１８から応答があった場合、Ｓ８１１でタイムテーブルの解除コードを受信する。
【００４５】
Ｓ８１１で解除コードを受信後、Ｓ８１２ではＣＭ印刷処理が正常に終了した旨とＣＭ削除に必要なタイムテーブルの解除コードを録画再生装置１２へ通知する処理を行い、本ＣＭ印刷処理を終了する。
【００４６】
なお、本実施形態では、ＣＭ削除に必要なタイムテーブルの解除コードは、ＣＭ印刷を確実に行わせるために、印刷データを用いてＣＭ印刷処理を行ってから受信できるものであった。しかし、この解除コードはＣＭ印刷処理時の印刷データに含む形で配信されてくるようにしてもよい。
【００４７】
印刷データは、ＣＭを配信する企業のＣＭに対応する広告（ＣＭと同一製品の広告）を印刷用に最適化したデータである。また、ＣＭを削除するためのタイムテーブルの解除コードを描画イメージで持ってもよい。この場合、実際に使用者が印刷物を確認しないとこの解除コードが読み取れないのが望ましい。
【００４８】
そして、例えば、図６の録画再生装置１２の制御装置２６が実施するＣＭ削除における解除コード受信処理Ｓ６０３にてＣＭ印刷が終了した旨をＤＴＶ１３に表示して、リモコンなどで使用者に解除コードの入力を要求し、正しく解除コードが入力された場合、ＣＭ削除を実施する。このような仕組みを持つことで実際にＣＭ印刷をしなければ、ＣＭ削除が実行できない事になり、不正なＣＭ削除ができないこととなる。
【００４９】
以上の構成であると、広告は印刷した紙媒体に現すことができ、記録される番組情報の中から広告情報の削除を行ってもスポンサーが効果的に広告を行うことができ、かつ、記録した番組情報から広告情報を削除することで、使用者が快適に記録した番組情報を視聴でき、スポンサーと使用者の両者の利益を同時に確保できる。
【図面の簡単な説明】
【００５０】
【図１】図１は実施形態に係る放送番組記録システムの構成を表した図である。
【図２】図２は実施形態に係る録画再生装置の内部の構成を示したブロック図である。
【図３】図３は実施形態の放送番組記録システムの放送形態およびハードディスクに記録されたデータ（広告情報を含む番組情報）の記録イメージを１つの番組例（番組１）で表した図である。
【図４】図４は図３のＣＭに関連する情報であるところのメタデータのフォーマットを表した図である。
【図５】図５はプリンタの内部構成を表したブロック図である。
【図６】図６は録画再生装置内部の制御装置が実施するＣＭ印刷処理の流れを表した図である。
【図７】図７はＤＴＶに表示されるＤＶＤバックアップを促す図を示す。
【図８】図８はプリンタの内部ブロックであるところの制御装置で実行され、録画再生装置からの依頼におけるＣＭ印刷の処理の流れを示したフローチャートである。
【符号の説明】
【００５１】
１１  放送局
１２  録画再生装置
１３  デジタルテレビ（ＤＴＶ）
１４  プリンタ
１５  ネットワーク
１６  ゲートウェイ
１７  インターネット
１８  ＣＭ削除認証装置および印刷データサーバ
２１  放送受信装置
２２  ハードディスク
２３  ＤＶＤドライブ
２４  ＤＴＶ再生装置
２５  ネットワーク通信装置
２６  制御装置
２７  リモコン受信装置
４１  ネットワーク通信装置
４２  制御装置
４３  印刷レイアウト装置
４４  印刷装置
【図１】
2005348227.tif 000003
【図２】
2005348227.tif 000004
【図３】
2005348227.tif 000005
【図４】
2005348227.tif 000006
【図５】
2005348227.tif 000007
【図６】
2005348227.tif 000008
【図７】
2005348227.tif 000009
【図８】
2005348227.tif 000010